(57)【要約】【課題】用途に応じて最適な音声案内システムを構築する。【解決手段】いずれかの子機１の記憶部１０に記憶されている音声案内データであるテキストデータに対応する音声案内を報知すべき事象が発生したときに、上記子機１の制御部１１がネットワーク３を介して上記テキストデータを親機２に送信する。続いて、親機２の音声合成部２０において、解析部がテキストデータに対して言語データベースの情報を用いて言語解析を実行してテキスト合成データを作成する。その後、音声波形生成部がテキスト合成データ、及びコンテキスト依存ＨＭＭからの音響的特徴量を用いて音声信号データを作成する。最後に、報知部２１が音声信号データを再生して音声案内を報知する。【選択図】図１
2007171698.tif 000002
【特許請求の範囲】
【請求項１】
音声案内データ及びその音声案内データに対応する音声案内を報知すべき事象を記憶する子機記憶手段と、前記事象が発生したときに前記音声案内データを送信する子機制御手段とを含む子機を単一又は複数備えるとともに、
前記子機から前記音声案内データを受信し、受信された音声案内データに基づいて前記音声案内を報知する親機制御手段を含む親機を備える
ことを特徴とする音声案内システム。
【請求項２】
前記音声案内データを設定する入力機制御手段を含む設定入力機を備え、
前記子機制御手段が、前記設定入力機から前記音声案内データを受信し、前記子機記憶手段が、前記子機制御手段で受信された音声案内データを記憶する
ことを特徴とする請求項１記載の音声案内システム。
【請求項３】
前記子機記憶手段が、テキストデータを前記音声案内データとして記憶し、
前記親機制御手段が、前記事象が発生したときに前記子機から前記テキストデータを受信し、受信されたテキストデータに対して言語解析を実行してテキスト合成データを作成する親機解析手段と、前記テキスト合成データを用いて音声信号データを作成する親機音声信号作成手段と、前記音声信号データを再生して前記音声案内を報知する親機報知手段とを含む
ことを特徴とする請求項１又は２記載の音声案内システム。
【請求項４】
前記音声案内の文章の作成又は編集が行われる操作手段と、前記操作手段で作成又は編集が行われた音声案内の文章に基づくテキストデータを設定する入力機制御手段とを含む設定入力機を備えるとともに、
前記設定入力機から前記テキストデータを受信し、受信されたテキストデータに対して言語解析を実行してテキスト合成データを作成し、前記テキスト合成データを前記子機に送信するサーバ解析手段を含むセンターサーバを備え、
前記子機制御手段が、前記センターサーバから前記テキスト合成データを受信し、前記子機記憶手段が、前記子機制御手段で受信されたテキスト合成データを前記音声案内データとして記憶し、
前記親機制御手段が、前記事象が発生したときに前記子機から前記テキスト合成データを受信し、受信されたテキスト合成データを用いて音声信号データを作成する親機音声信号作成手段と、前記音声信号データを再生して前記音声案内を報知する親機報知手段とを含む
ことを特徴とする請求項１記載の音声案内システム。
【請求項５】
前記音声案内の文章の作成又は編集が行われる操作手段と、前記操作手段で作成又は編集が行われた音声案内の文章に基づくテキストデータを設定する入力機制御手段とを含む設定入力機を備えるとともに、
前記設定入力機から前記テキストデータを受信し、受信されたテキストデータに対して言語解析を実行してテキスト合成データを作成するサーバ解析手段と、前記テキスト合成データを用いて音声データを作成し、前記音声データを前記子機に送信するサーバ音声信号作成手段とを含むセンターサーバを備え、
前記子機制御手段が、前記センターサーバから前記音声データを受信し、前記子機記憶手段が、前記子機制御手段で受信された音声データを前記音声案内データとして記憶し、
前記親機制御手段が、前記事象が発生したときに前記子機から前記音声データを受信し、受信された音声データを用いて音声信号データを作成する親機音声信号作成手段と、前記音声信号データを再生して前記音声案内を報知する親機報知手段とを含む
ことを特徴とする請求項１記載の音声案内システム。
【請求項６】
前記設定入力機が、設定された前記音声案内データに基づいて前記音声案内を報知する入力機報知手段を含むことを特徴とする請求項２記載の音声案内システム。
【請求項７】
前記子機が、前記子機記憶手段に記憶されている前記音声案内データに基づいて前記音声案内を報知する子機報知手段を含むことを特徴とする請求項２〜６のいずれか記載の音声案内システム。
【請求項８】
前記設定入力機が、前記子機報知手段で前記音声案内が報知されたときにその音声案内の読みが誤っていた場合、前記音声案内データを訂正する訂正手段を含むことを特徴とする請求項７記載の音声案内システム。
【発明の詳細な説明】
【技術分野】
【０００１】
本発明は、音声案内を報知する音声案内システムに関するものである。
【背景技術】
【０００２】
従来、例えばシステムの状態や操作の案内、異常発生時などに関する音声案内を報知する音声案内システムとして、予め音声案内データを記憶する記憶部と、上記音声案内データに基づいて音声案内を報知する音声変換部（デコーダ部）とを単一のサブシステムに備える第１の従来音声案内システムがある。
【０００３】
また、特許文献１には、それぞれが火災感知器と接続する複数の端末装置（子機）と、各端末装置と接続するセンタ装置（親機）とを備える異常報知システム（第２の従来音声案内システム）が開示されている。上記特許文献１の異常報知システムにおいて、センタ装置は、各端末装置からの制御信号に対応する音声案内データを記憶する記憶部を備える。上記特許文献１の異常報知システムの動作について説明すると、まず、端末装置が火災感知器の検知に基づいて火災発生と確定した場合、センタ装置に制御信号を送信する。続いて、センタ装置が制御信号を受信すると、上記制御信号に対応する音声案内データを記憶部から読み出し、上記音声案内データに基づいて音声メッセージ（音声案内）を報知する。
【特許文献１】特開２００４−１８５１５１号公報（第７頁及び第１〜３図）
【発明の開示】
【発明が解決しようとする課題】
【０００４】
上記第１の従来音声案内システムは、音声案内データを記憶する記憶部と音声変換部とを単一のサブシステムに備えるので、システム自身が小規模で事後に拡張されることがなくスタンドアローンで利用される場合には有効であった。しかしながら、第１の従来音声案内システムは、事後にサブシステムを追加したり結合したりすることで拡張して大規模かつ複雑になる場合、当初から想定されるあらゆる音声案内データを抽出して単一のサブシステムに備えることが非常に困難であるという問題があった。また、ユーザごとに希望のシステム構成があるので、それぞれの音声案内データが、一部のユーザに対しては有用なものであっても、別のユーザに対しては不用なものであるといった問題も発生した。
【０００５】
一方、第２の従来音声案内システムは、各子機から親機への制御信号の種類が多くなるにつれて音声案内データの種類も多くなることから、親機の記憶部の容量を大きくする必要がある。これにより、上記第２の従来音声案内システムは、親機側に機能が集中して大型かつ高コストになってしまうという問題があった。
【０００６】
本発明は上記の点に鑑みて為されたものであり、その目的とするところは、用途に応じて最適に構築することができる音声案内システムを提供することにある。
【課題を解決するための手段】
【０００７】
請求項１に記載の発明は、音声案内データ及びその音声案内データに対応する音声案内を報知すべき事象を記憶する子機記憶手段と、前記事象が発生したときに前記音声案内データを送信する子機制御手段とを含む子機を単一又は複数備えるとともに、前記子機から前記音声案内データを受信し、受信された音声案内データに基づいて前記音声案内を報知する親機制御手段を含む親機を備えることを特徴とする。
【０００８】
この構成では、親機が子機に対応する音声案内データを記憶する必要がなく、必要な音声案内に応じて子機を親機に接続して用いることができるので、用途に応じて最適な音声案内システムを構築することができる。
【０００９】
請求項２に記載の発明は、請求項１に記載の発明において、前記音声案内データを設定する入力機制御手段を含む設定入力機を備え、前記子機制御手段が、前記設定入力機から前記音声案内データを受信し、前記子機記憶手段が、前記子機制御手段で受信された音声案内データを記憶することを特徴とする。この構成では、好みの音声案内データを子機に記憶させることができるので、実際に音声案内されたときに直感的にわかりやすくなる。
【００１０】
請求項３に記載の発明は、請求項１又は２に記載の発明において、前記子機記憶手段が、テキストデータを前記音声案内データとして記憶し、前記親機制御手段が、前記事象が発生したときに前記子機から前記テキストデータを受信し、受信されたテキストデータに対して言語解析を実行してテキスト合成データを作成する親機解析手段と、前記テキスト合成データを用いて音声信号データを作成する親機音声信号作成手段と、前記音声信号データを再生して前記音声案内を報知する親機報知手段とを含むことを特徴とする。この構成では、用途に応じて最適な音声案内システムを構築することができる。
【００１１】
請求項４に記載の発明は、請求項１に記載の発明において、前記音声案内の文章の作成又は編集が行われる操作手段と、前記操作手段で作成又は編集が行われた音声案内の文章に基づくテキストデータを設定する入力機制御手段とを含む設定入力機を備えるとともに、前記設定入力機から前記テキストデータを受信し、受信されたテキストデータに対して言語解析を実行してテキスト合成データを作成し、前記テキスト合成データを前記子機に送信するサーバ解析手段を含むセンターサーバを備え、前記子機制御手段が、前記センターサーバから前記テキスト合成データを受信し、前記子機記憶手段が、前記子機制御手段で受信されたテキスト合成データを前記音声案内データとして記憶し、前記親機制御手段が、前記事象が発生したときに前記子機から前記テキスト合成データを受信し、受信されたテキスト合成データを用いて音声信号データを作成する親機音声信号作成手段と、前記音声信号データを再生して前記音声案内を報知する親機報知手段とを含むことを特徴とする。この構成では、親機がテキスト合成データを受信することによって、親機のメモリ容量を小さくすることができ、低コスト化を図ることができる。
【００１２】
請求項５に記載の発明は、請求項１に記載の発明において、前記音声案内の文章の作成又は編集が行われる操作手段と、前記操作手段で作成又は編集が行われた音声案内の文章に基づくテキストデータを設定する入力機制御手段とを含む設定入力機を備えるとともに、前記設定入力機から前記テキストデータを受信し、受信されたテキストデータに対して言語解析を実行してテキスト合成データを作成するサーバ解析手段と、前記テキスト合成データを用いて音声データを作成し、前記音声データを前記子機に送信するサーバ音声信号作成手段とを含むセンターサーバを備え、前記子機制御手段が、前記センターサーバから前記音声データを受信し、前記子機記憶手段が、前記子機制御手段で受信された音声データを前記音声案内データとして記憶し、前記親機制御手段が、前記事象が発生したときに前記子機から前記音声データを受信し、受信された音声データを用いて音声信号データを作成する親機音声信号作成手段と、前記音声信号データを再生して前記音声案内を報知する親機報知手段とを含むことを特徴とする。この構成では、親機を簡単な構成にすることができるので、親機の低コスト化を図ることができる。
【００１３】
請求項６に記載の発明は、請求項２に記載の発明において、前記設定入力機が、設定された前記音声案内データに基づいて前記音声案内を報知する入力機報知手段を含むことを特徴とする。この構成では、設定入力機において、入力機制御手段で設定された音声案内データに対応する音声案内を聴いて確認することができる。
【００１４】
請求項７に記載の発明は、請求項２〜６のいずれかに記載の発明において、前記子機が、前記子機記憶手段に記憶されている前記音声案内データに基づいて前記音声案内を報知する子機報知手段を含むことを特徴とする。この構成では、子機記憶手段に記憶されている音声案内データに対応する音声案内を、子機で聴いて確認することができる。
【００１５】
請求項８に記載の発明は、請求項７に記載の発明において、前記設定入力機が、前記子機報知手段で前記音声案内が報知されたときにその音声案内の読みが誤っていた場合、前記音声案内データを訂正する訂正手段を含むことを特徴とする。この構成では、音声案内の読みが間違っていたとしても、設定入力機で音声案内データを訂正することができる。
【発明の効果】
【００１６】
本発明によれば、用途に応じて最適な音声案内システムを構築することができる。
【発明を実施するための最良の形態】
【００１７】
（実施形態１）
本発明の実施形態１について図１〜３を用いて説明する。図１は、実施形態１の音声案内システムの構成を示すブロック図である。図２は、実施形態１の音声案内システムにおける親機の動作を示す図である。図３は、実施形態１の音声案内システムの親機における音声合成部の構成を示すブロック図である。
【００１８】
まず、実施形態１の基本的な構成について説明する。実施形態１の音声案内システムは、音声案内を報知するものであり、図１に示すように、２つの子機１，１と、親機２とをネットワーク３を介して接続して備えている。実施形態１の音声案内システムにおけるネットワーク３の構築形式は、子機１をサーバ、親機２をクライアントとして、ＴＣＰ／ＩＰプロトコルでイーサネット（登録商標）接続する形式である。なお、上記ネットワーク３の構築形式は一例であって限定されるものではなく、用途に応じて適宜設定されるものである。
【００１９】
各子機１は、記憶部１０と、制御部１１とを備えている。記憶部１０は、子機固有の音声案内に関するテキストデータを音声案内データとして記憶しているとともに、上記テキストデータに対応する音声案内を報知すべき事象（ルール、イベント）も記憶している。一方、制御部１１は、上記事象が発生したときにネットワーク３を介して、記憶部１０に記憶されているテキストデータを親機２に送信するものである。上記テキストデータとして、日本語が対象の場合、漢字かな混じりテキストデータ、かなテキストデータなどがある。また、他にもローマ字テキストデータや英字のテキストデータなどがある。なお、子機１として複数の種類のものがあり、用途に応じて選択して用いることができる。
【００２０】
親機２は、図２に示すように、音声合成部２０と、報知部２１とを備え、ユーザインタフェースの役割を有する。上記親機２は、音声変換ソフトウェアであるテキスト音声合成ソフトウェアを用いて、ＨＭＭ（Ｈｉｄｄｅｎ  Ｍａｒｋｏｖ  Ｍｏｄｅｌ）音声合成方式で音声案内を報知する。なお、親機２の音声合成方式は、ＨＭＭ音声合成方式に限定されるものではなく、例えば波形接続方式など他の音声合成方式であってもよい。
【００２１】
音声合成部２０は、図３に示すように、言語データベース（言語Ｄ／Ｂ）２００と、解析部２０１と、コンテキスト依存ＨＭＭ（音響Ｄ／Ｂ）２０２と、音声波形生成部（音声信号作成手段）２０３とを備えている。
【００２２】
言語データベース２００は、テキストデータの読み、アクセント、品詞、ポーズなどといった情報を記憶している。解析部２０１は、各子機１（図１参照）からテキストデータを受信し、受信されたテキストデータに対して言語データベース２００の情報を用いて言語解析を実行してテキスト合成データ（中間ファイル）を作成する。上記テキスト合成データは、読み、アクセント、品詞、ポーズなどの情報がテキスト化されている。コンテキスト依存ＨＭＭ２０２は、多くの音響的特徴量を記憶し、この中から必要な音響的特徴量を音声波形生成部２０３に出力する。音声波形生成部２０３は、解析部２０１からのテキスト合成データ及びコンテキスト依存ＨＭＭ２０２からの音響的特徴量を用いて音声信号データを作成する。
【００２３】
一方、報知部２１は、図２に示すように、Ｄ／Ａ変換部２１０と、スピーカ２１１とを備えている。Ｄ／Ａ変換部２１０は、音声波形生成部２０３で作成された音声信号データをアナログ音声信号に変換する。一方、スピーカ２１１は、上記アナログ音声信号を再生して音声案内を報知する。
【００２４】
次に、実施形態１の音声案内システムの動作について図１，３を用いて説明する。まず、図１に示すように、いずれかの子機１の記憶部１０に記憶されているテキストデータに対応する音声案内を報知すべき事象が発生したときに、上記子機１の制御部１１が上記テキストデータを親機２に送信する。続いて、図３に示すように、親機２の音声合成部２０において、解析部２０１がテキストデータに対して言語データベース２００の情報を用いて言語解析を実行してテキスト合成データを作成する。その後、音声波形生成部２０３が、テキスト合成データ及び音響的特徴量を用いて音声信号データを作成する。最後に、報知部２１が上記音声信号データを再生して音声案内を報知する。
【００２５】
以上、実施形態１によれば、親機２が子機１ごとに対応するテキストデータを記憶する必要がなく、必要な音声案内に応じて子機１を親機２に接続して用いることができるので、用途に応じて最適な音声案内システムを構築することができる。
【００２６】
（実施形態２）
本発明の実施形態２について図４を用いて説明する。図４は、実施形態２の音声案内システムの構成を示すブロック図である。
【００２７】
実施形態２の音声案内システムは、図４に示すように、親機２を実施形態１の音声案内システムと同様に備えているが、実施形態１の音声案内システムにはない以下に記載の特徴部分がある。
【００２８】
実施形態２の音声案内システムは、設定入力機４を備えている。設定入力機４は、例えばパソコン、テレビ、携帯電話などであり、操作部４０と、制御部４１とを備えている。操作部４０は、各子機１に対応する音声案内の文章（例えば漢字かな混じり文章やひらがな、カタカナなど）の作成又は編集がユーザの入力操作で行われる。一方、制御部４１は、上記音声案内の文章に基づくテキストデータを音声案内データとして設定する。すなわち、上記ユーザは、設定入力機４がパソコンの場合、操作部４０となるキーボードから上記音声案内の文章を入力し、設定入力機４がテレビの場合、リモコンをキーボード代わりの操作部４０として上記音声案内の文章を入力し、設定入力機４が携帯電話の場合、本体に設けられている操作ボタンを操作部４０として上記音声案内の文章を入力する。また、設定入力機４が携帯電話の場合、ユーザは広い範囲から上記音声案内の文章を入力することができる。上記制御部４１は、設定されたテキストデータを、ネットワーク３を介して対象の子機１ａに送信する。
【００２９】
また、実施形態２の音声案内システムは、実施形態１の２つの子機に代えて、図４に示すような２つの子機１ａ，１ａを備えている。各子機１ａは、制御部１１ａが設定入力機４からテキストデータを受信し、記憶部１０ａが、制御部１１ａで受信されたテキストデータを音声案内データとして記憶する。なお、各子機１ａは、上記以外の点において、実施形態１の各子機１（図１参照）と同様である。
【００３０】
次に、実施形態２の音声案内システムの動作について説明する。まず、ユーザが設定入力機４の操作部４０を用いて音声案内の文章を入力し、制御部４１が、上記音声案内の文章テキストデータを設定する。続いて、制御部４１がテキストデータを子機１ａに送信する。子機１ａの記憶部１０が設定入力機４からのテキストデータを記憶する。その後、実施形態１と同様に、親機２の音声合成部２０及び報知部２１がテキストデータに基づいて音声案内を報知する。
【００３１】
以上、実施形態２によれば、ユーザ自身が好みの音声案内の文章を入力してテキストデータを設定し、上記テキストデータを子機１の記憶部１０に記憶させることができるので、実際に音声案内されたときに直感的にわかりやすくなる。
【００３２】
（実施形態３）
本発明の実施形態３について図４を用いて説明する。図４は、実施形態３の音声案内システムの構成を示すブロック図である。
【００３３】
実施形態３の音声案内システムは、図４に示すように、２つの子機１ａ，１ａと、親機２と、設定入力機４とを、実施形態２の音声案内システムと同様に備えているが、実施形態２の音声案内システムにはない以下に記載の特徴部分がある。
【００３４】
実施形態３の音声案内システムでは、音声案内データとしてテキストデータに代えて、音声データを用いている。実施形態３の設定入力機４は、操作部４０としてマイク（図示せず）を備え、上記マイクを介してユーザ自身の音声や他人の音声を取り込む。制御部４１は、音声データの編集ツール（例えばＡＤＰＣＭ）などを利用して音声データを設定する。上記制御部４１は、ネットワーク３を介して上記音声データを音声案内データとして子機１ａに送信する。
【００３５】
一方、実施形態３の親機２の音声合成部２０は、解凍処理部２０４（図２参照）を備えている。解凍処理部２０４は、例えばＡＤＰＣＭなどで圧縮された音声データに対して解凍処理を行い、音声信号データを作成する。
【００３６】
以上、実施形態３によれば、音声案内データが音声データの場合であっても、テキストデータの場合と同様の効果を奏する。
【００３７】
（実施形態４）
本発明の実施形態４について図５を用いて説明する。図５は、実施形態４の音声案内システムにおける設定入力機の構成を示すブロック図である。なお、図５のＡは、図４のＡでネットワーク３を介して各子機１ａと接続する。
【００３８】
実施形態４の音声案内システムは、実施形態２の音声案内システム（図４参照）と同様に、２つの子機１ａ，１ａと、親機２とを備えているが、実施形態２の音声案内システムにはない以下に記載の特徴部分がある。
【００３９】
実施形態４の音声案内システムは、実施形態２の設定入力機に代えて、図５に示すような設定入力機４ａを備えている。設定入力機４ａは、操作部４０及び制御部４１ａを備えているとともに、音声合成部４２と、報知部４３とを備えている。音声合成部４２は、例えば親機２の音声合成部２０（図３参照）と同様の構成であり、制御部４１ａで設定されたテキストデータを用いて音声信号データを作成する。一方、報知部４３は、例えばスピーカなどを設定入力機４の本体に内蔵又は外部接続して備え、上記音声信号データを再生して音声案内を報知する。なお、設定入力機４ａは、上記以外の点において、実施形態２の設定入力機４（図４参照）と同様である。
【００４０】
以上、実施形態４によれば、実施形態２と同様の効果を得ることができるとともに、設定入力機４において、制御部４１ａで設定されたテキストデータに基づいた音声案内を、設定時点の段階で聴いて確認することができる。
【００４１】
（実施形態５）
本発明の実施形態５について図６，７を用いて説明する。図６は、実施形態５の音声案内システムの構成を示すブロック図である。図７は、実施形態５の音声案内システムの親機における音声合成部の構成を示すブロック図である。
【００４２】
実施形態５の音声案内システムは、図６に示すように、２つの子機１ｂ，１ｂと、親機２ａと、設定入力機４ｂと、センターサーバ５とをネットワーク３及びインターネット６を介して接続して備えている。
【００４３】
設定入力機４ｂの制御部４１ｂは、設定されたテキストデータを、ネットワーク３及びインターネット６を介してセンターサーバ５に送信する。なお、実施形態５の設定入力機４ｂは、上記以外の点において、実施形態２の設定入力機４（図４参照）と同様である。
【００４４】
センターサーバ５は、解析部５０を備えている。解析部５０は、テキストデータからテキスト合成データを作成する部分のソフトウェアを備え、設定入力機４ｂからテキストデータを受信し、受信されたテキストデータに対して言語解析を実行してテキスト合成データを作成する。上記解析部５０は、インターネット６及びネットワーク３を介して、作成されたテキスト合成データを各子機１ｂに送信する。
【００４５】
一方、各子機１ｂは、制御部１１ｂがセンターサーバ５からテキスト合成データを受信し、記憶部１０ｂが、制御部１１ｂで受信されたテキスト合成データを音声案内データとして記憶している。なお、各子機１ｂは、上記以外の点において、実施形態１の各子機１（図１参照）と同様である。
【００４６】
また、親機２ａは、実施形態１と同様の報知部２１を備えているとともに、図７に示すような音声合成部２０ａを備えている。音声合成部２０ａは、コンテキスト依存ＨＭＭ２０２と、音声波形生成部２０３とを備えている。音声波形生成部２０３は、子機１ｂにおいてテキスト合成データに対応する音声案内を報知すべき事象が発生したときに子機１ｂからテキスト合成データを受信し、受信されたテキスト合成データ及びコンテキスト依存ＨＭＭ２０２の音響的特徴量を用いて音声信号データを作成する。報知部２１は、図６に示すように、上記音声信号データを再生して音声案内を報知する。
【００４７】
次に、実施形態５の音声案内システムの動作について図６を用いて説明する。まず、ユーザが設定入力機４ｂを用いて音声案内の文章を入力してテキストデータを設定する。続いて、設定入力機４ｂの制御部４１ｂがテキストデータをセンターサーバ５に送信する。センターサーバ５の解析部５０がテキストデータからテキスト合成データを作成し、上記テキスト合成データを子機１ｂに送信する。続いて、子機１ｂにおいてテキスト合成データに対応する音声案内を報知すべき事象が発生したときに、子機１ｂの制御部１１ｂがテキスト合成データを親機２ａに送信する。その後、親機２ａの音声合成部２０ａがテキスト合成データ及び音響的特徴量を用いて音声信号データを作成する。最後に、報知部２１が上記音声信号データを再生して音声案内を報知する。
【００４８】
以上、実施形態５によれば、親機２ａの音声合成部２０ａがテキスト合成データを受信することによって、解析部及び言語データベースを備える必要がないので、音声合成部２０ａのメモリ容量を小さくすることができ、親機２ａの低コスト化を図ることができる。
【００４９】
（実施形態６）
本発明の実施形態６について図８を用いて説明する。図８は、実施形態６の音声案内システムにおけるセンターサーバの構成を示すブロック図である。なお、図８のＢは、図６のＢでネットワーク３を介して各子機１ｂと接続する。
【００５０】
実施形態６の音声案内システムは、実施形態５の音声案内システム（図６参照）と同様に、２つの子機１ｂ，１ｂと、親機２ａと、設定入力機４ｂとを備えているが、実施形態５の音声案内システムにはない特徴部分がある。
【００５１】
実施形態６の音声案内システムは、実施形態５のセンターサーバに代えて、図８に示すようなセンターサーバ５ａを備えている。センターサーバ５ａは、解析部５０ａと、音声信号作成部５１とを備えている。解析部５０ａは、設定入力機４ｂからテキストデータを受信し、受信されたテキストデータに対して言語解析を実行してテキスト合成データを作成する。音声信号作成部５１は、テキスト合成データから音声信号データを作成するテキスト音声合成ソフトウェアと、音声信号データをＡＤＰＣＭ形式の音声データに変換するソフトウェアとを備えている。上記音声信号作成部５１は、解析部５０ａで作成されたテキスト合成データを用いて音声信号データを作成し、上記音声信号データをＡＤＰＣＭ形式に圧縮して音声データを作成する。続いて、音声信号作成部５１は、インターネット６及びネットワーク３を介して、上記音声データを子機１ｂに送信する。
【００５２】
一方、実施形態６の各子機１ｂは、制御部１１ｂがセンターサーバ５ａから音声データを受信し、記憶部１０ｂが、制御部１１ｂで受信された音声データを音声案内データとして記憶している。上記各子機１ｂは、音声データに対応する音声案内を報知すべき事象が発生したときに音声データを親機２ａに送信する。なお、実施形態６の各子機１ｂは、上記以外の点において、実施形態５の各子機と同様である。
【００５３】
また、実施形態６の親機２ａは、解凍処理部２０４（図２参照）を含む音声合成部２０と、報知部２１とを備えている。音声合成部２０は、子機１ｂにおいて音声データに対応する音声案内を報知すべき事象が発生したときに子機１ｂから音声データを受信し、受信された音声データに対して解凍処理（デコード）を実行して音声信号データを作成する。報知部２１は、上記音声信号データを再生して音声案内を報知する。
【００５４】
以上、実施形態６によれば、親機２ａを簡単な構成にすることができるので、親機２ａの低コスト化を図ることができる。
【００５５】
（実施形態７）
本発明の実施形態７について図９を用いて説明する。図９は、実施形態７の音声案内システムにおける子機の構成を示すブロック図である。なお、図９のＣ及びＤは、図６のＣ及びＤでネットワーク３を介して親機２ａ、設定入力機４ｂ及びセンターサーバ５と接続する。
【００５６】
実施形態７の音声案内システムは、実施形態５の音声案内システム（図６参照）と同様に、親機２ａと、設定入力機４ｂと、センターサーバ５とを備えているが、実施形態５の音声案内システムにはない以下に記載の特徴部分がある。
【００５７】
実施形態７の音声案内システムは、実施形態５の２つの子機に代えて、図９に示すような２つの子機１ｃ，１ｃを備えている。各子機１ｃは、記憶部１０ｃ及び制御部１１ｃを備えているとともに、音声合成部１２と、報知部１３とを備えている。音声合成部１２は、例えば親機２ａの音声合成部２０ａ（図７参照）と同様の構成であり、上記テキスト合成データに対応する音声案内を報知すべき事象を擬似的に発生させて、記憶部１０ｃに記憶されているテキスト合成データを用いて音声信号データを作成する。一方、報知部１３は、例えばスピーカなどを備え、上記音声信号データを再生して音声案内を報知する。なお、各子機１ｃは、上記以外の点において、実施形態５の各子機１ｂ（図６参照）と同様である。
【００５８】
以上、実施形態７によれば、子機１ｃの記憶部１０ｃに記憶されているテキスト合成データに対応する音声案内を子機１ｃで聴いて確認することができる。
【００５９】
（実施形態８）
本発明の実施形態８について説明する。
【００６０】
実施形態８の音声案内システムは、図６，９に示すように、２つの子機１ｃ，１ｃと、親機２ａと、設定入力機４ｂと、センターサーバ５とを、実施形態７の音声案内システムと同様に備えているが、実施形態７の音声案内システムにはない以下に記載の特徴部分がある。
【００６１】
実施形態８の設定入力機４ｂの操作部４０は、子機１ｃの報知部１３で音声案内が報知されたときに上記音声案内の読みが誤っていた場合、ユーザの操作によって音声案内の文章の再入力が行われる。制御部４１ｂは、上記音声案内の文章に基づいてテキストデータを訂正する。なお、実施形態８の設定入力機４ｂは、上記以外の点において、実施形態６の設定入力機と同様である。
【００６２】
また、実施形態８のセンターサーバ５は、設定入力機４ｂがテキストデータを訂正するごとに、例えば人名など漢字の読みとアクセントのデータを記憶する。上記より、センターサーバ５の辞書機能が拡張、拡充されるので、多様な読み方をすることができる。なお、実施形態８のセンターサーバ５は、上記以外の点において、実施形態６のセンターサーバと同様である。
【００６３】
以上、実施形態８によれば、音声案内の読みが間違っていたとしても、設定入力機４ｂでテキストデータを訂正することができる。
【００６４】
なお、実施形態１〜８の変形例として、子機が２つに限定されるものではなく、１つ又は３つ以上であってもよい。このような構成にしても、実施形態１〜８と同様の効果を奏する。
【００６５】
（実施形態９）
本発明の実施形態９について図１０を用いて説明する。図１０は、実施形態９の音声案内システムの構成を示すブロック図である。
【００６６】
実施形態９の音声案内システムは、住宅設備を対象としたものであり、図１０に示すように、８つの子機７・・・と、インターホン室内機２ｂと、パソコン４ｃとを、ネットワーク３を介して接続して備えている。なお、インターホン室内機２ｂは、実施形態１の親機２（図１参照）と同様に、音声合成部（図示せず）と、報知部（図示せず）とを備えている。また、パソコン４ｃは、実施形態２の設定入力機４（図４参照）と同様に、操作部と、制御部とを備えている。
【００６７】
各子機７は、記憶部（図示せず）がテキストデータ及び上記テキストデータに対応する音声案内を報知すべき事象を記憶している。複数の子機７・・・として、カメラ７０と、インターホン７１と、ブレーカ７２と、煙・熱センサ７３と、窓センサ７４と、ドアセンサ７５と、人感センサ７６と、電気機器７７とを備えている。煙・熱センサ７３は、煙や熱を検知するものである。窓センサ７４は、窓の開閉状態を検知するものである。ドアセンサ７５は、ドアの開閉状態を検知するものである。人感センサ７６は、人の存在・不在を検知するものである。電気機器７７は、ＪＥＭ−Ａ規格に準拠してネットワーク３に接続されるものであり、例えば、照明器具、エアコン、給湯器、電気錠、床暖房器具、コンロなどである。
【００６８】
次に、実施形態９の音声案内システムにおいて窓センサ７４又はドアセンサ７５を用いた場合における音声案内の報知に関する動作について説明する。なお、窓センサ７４又はドアセンサ７５の記憶部（図示せず）が、センサデータが閾値を越えたときに報知してかつ「防犯異常発生」という音声案内の文章に対応するテキストデータをネットワーク３上に流すという条件を記憶している。まず、センサデータが閾値を越えたとき、窓センサ７４又はドアセンサ７５が、「防犯異常発生」という音声案内の文章に対応するテキストデータをインターホン室内機２ｂに送信する。続いて、インターホン室内機２ｂが音声合成部及び報知部によって音声案内を報知してユーザに知らせる。
【００６９】
続いて、実施形態９の音声案内システムにおいてユーザが音声案内の文章を設定した場合の動作について説明する。まず、ユーザがパソコン４ｃを用いて、例えば「２階の２０１号室の部屋で防犯異常発生」という音声案内の文章を入力してテキストデータを設定する。この場合、固有名詞も含めて音声案内の文章をユーザが自由に作成し、編集する。続いて、窓センサ７４の記憶部（図示せず）が上記テキストデータを記憶する。
【００７０】
上記より、「２階の２０１号室の部屋で防犯異常発生」という音声案内をユーザが聴くことによって、２階の２０１号室の部屋を確認しに行かなければならないというように直感的に理解することができる。
【００７１】
以上、実施形態９によれば、住宅設備を対象とした場合に音声案内システムを有効に用いることができる。
【００７２】
なお、実施形態９の変形例として、パソコンに代えてテレビ又は携帯電話を備えてもよい。このような構成では、ユーザがテレビのリモコン又は携帯電話を用いて音声案内の文章を入力してテキストデータを設定することができる。
【００７３】
（実施形態１０）
本発明の実施形態１０について図１１を用いて説明する。図１１は、実施形態１０の音声案内システムの構成を示すブロック図である。
【００７４】
実施形態１０の音声案内システムは、住宅設備を対象としたものであり、図１１に示すように、窓センサ（子機）７４ａと、インターホン室内機（親機）２ｃと、センターサーバ５ｂとを備え、窓センサ７４ａ、インターホン室内機２ｃ及びセンターサーバ５ｂ間の通信方式としてＥＭＩＴ（Ｅｍｂｅｄｄｅｄ  Ｍｉｃｒｏ  Ｉｎｔｅｒｎｅｔｗｏｒｋｉｎｇ  Ｔｅｃｈｎｏｌｏｇｙ）技術を用いている。
【００７５】
実施形態１０の窓センサ７４ａは、検知部７４０と、アプリケーション７４１と、ＥＭＩＴ通信ソフト７４２とを備え、例えばパソコン、テレビ、携帯電話などの設定入力機（図示せず）で設定されたテキストデータ、及び上記テキストデータに対応する音声案内を報知すべき事象をアプリケーション７４１に記憶している。また、実施形態１０のインターホン室内機２ｃは、報知部２１と、テキスト音声合成ソフトウェア２２と、ＥＭＩＴ通信ソフト２３とを備えている。さらに、実施形態１０のセンターサーバ５ｂは、アプリケーション５２と、ＥＭＩＴ通信ソフト５３とを備えている。
【００７６】
実施形態１０の音声案内システムにおいて、新規の子機として窓センサ７４ａが宅内に追加されると、センターサーバ５ｂは、ＥＭＩＴ技術を用いているので、インターネット（宅外インターネット）６を介して上記窓センサ７４ａのネットワーク３との接続を、アプリケーション５２によってＥＭＩＴ通信ソフト５３を介して自動的に検出する（コンフィギュレーションの自動検出）。これにより、窓センサ７４ａは、インターホン室内機２ｃ及びセンターサーバ５ｂとのＰｅｅｒ−ｔｏ−ｐｅｅｒ通信を行う状態になる。
【００７７】
次に、実施形態１０の音声案内システムにおける音声案内の報知に関する動作について説明する。まず、窓センサ７４ａのアプリケーション７４１が検知部７４０からのセンサデータを読み取って閾値を越えて、音声案内を報知すべき事象が発生したと判断したとき、ＥＭＩＴ通信ソフト７４２を介して、対応するテキストデータをインターホン室内機２ｃに送信する。続いて、インターホン室内機２ｃのテキスト音声合成ソフトウェア２２が、ＥＭＩＴ通信ソフト２３を介して受信されたテキストデータを変換して音声信号データを作成する。最後に、報知部２１が音声信号データを再生して音声案内を報知する。
【００７８】
以上、実施形態１０によれば、ＥＭＩＴ技術を用いて音声案内を報知することができる。
【００７９】
なお、実施形態１０の変形例として、子機が１つに限定されるものではなく、２つ以上であってもよい。このような構成にしても、実施形態１０と同様の効果を奏する。
【図面の簡単な説明】
【００８０】
【図１】本発明による実施形態１の音声案内システムの構成を示すブロック図である。
【図２】同上の音声案内システムにおける親機の動作を示す図である。
【図３】同上の音声案内システムの親機における音声合成部の構成を示すブロック図である。
【図４】本発明による実施形態２，３の音声案内システムの構成を示すブロック図である。
【図５】本発明による実施形態４の音声案内システムにおける設定入力機の構成を示すブロック図である。
【図６】本発明による実施形態５の音声案内システムの構成を示すブロック図である。
【図７】同上の音声案内システムの親機における音声合成部の構成を示すブロック図である。
【図８】本発明による実施形態６の音声案内システムにおけるセンターサーバの構成を示すブロック図である。
【図９】本発明による実施形態７の音声案内システムにおける子機の構成を示すブロック図である。
【図１０】本発明による実施形態９の音声案内システムの構成を示すブロック図である。
【図１１】本発明による実施形態１０の音声案内システムの構成を示すブロック図である。
【符号の説明】
【００８１】
１  子機
１０  記憶部
１１  制御部
２  親機
２０  音声合成部
２１  報知部
３  ネットワーク
【図１】
2007171698.tif 000003
【図２】
2007171698.tif 000004
【図３】
2007171698.tif 000005
【図４】
2007171698.tif 000006
【図５】
2007171698.tif 000007
【図６】
2007171698.tif 000008
【図７】
2007171698.tif 000009
【図８】
2007171698.tif 000010
【図９】
2007171698.tif 000011
【図１０】
2007171698.tif 000012
【図１１】
2007171698.tif 000013